(57)【要約】【課題】  バルコニー梁の一部に格子ユニットを取付けるに当たって、簡単な構成で現場工事を簡略化し且つバルコニー梁側に水が浸入しないようにできる。【解決手段】  バルコニー梁１上に立設した袖壁２間に格子ユニット３を配設する。格子体４の下枠５の下面に捨て水切り６を取付けて格子ユニット３を構成する。捨て水切り６付きの格子ユニット３をバルコニー梁１に立設して固定手段で固定すると共に格子ユニット３の捨て水切り６をバルコニー梁１の上端面に被せる。【選択図】        図１
2005163414.tif 000002
【特許請求の範囲】
【請求項１】
格子体の下枠の下面に捨て水切りを取付けて格子ユニットを構成し、該捨て水切り付きの格子ユニットをバルコニー梁に立設して固定手段で固定すると共に格子ユニットの捨て水切りをバルコニー梁の上端面に被せて成ることを特徴とするバルコニーの格子ユニットの取付け構造。
【請求項２】
バルコニー梁上に袖壁と格子ユニットとを隣接して立設し、格子ユニットの袖壁の側端面に隣接する側の側端部において、捨て水切りの側端部に上方に向けて立ち上がり片を突設し、該捨て水切りを格子体の下枠の下面に取付けて格子ユニットを構成した状態で立ち上がり片の上部を下枠よりも上方に突出させ、立ち上がり片の袖壁側の外面に水密材を設け、立ち上がり片に設けた水密材を袖壁の側端面に圧接し、水密材の外側において立ち上がり片と袖壁との間にシール材を充填してなることを特徴とする請求項１記載のバルコニーの格子ユニットの取付け構造。
【請求項３】
隣接する格子ユニットの一方側に捨て水切りの一側端部を格子体の一側端よりも側方に突出させて重複部を形成し、該重複部に隣の格子ユニットの捨て水切りの他側端部を水密材を介して重複し、隣接する格子ユニットの下枠間の隙間にシール材を充填して成ることを特徴とする請求項１又は請求項２記載のバルコニーの格子ユニットの取付け構造。
【請求項４】
バルコニー梁から支柱を立設し、捨て水切りに支柱を通す孔を設けると共に該孔の周囲から上方に筒状立ち上がり部を突設し、格子体の下枠に支柱を通す挿通孔を設け、該挿通孔の孔縁に筒状をした防水柱の下端部を固着具により取付けると共に挿通孔の孔縁の外周位置に筒状をした化粧柱の下端部を固着具により取付け、捨て水切りを格子体の下枠の下面に取付けて格子ユニットを構成した状態で筒状の防水柱の下端部内に筒状立ち上がり部を嵌め込み、格子ユニットの上記筒状立ち上がり部、筒状の防水柱に支柱を挿通して成ることを特徴とする請求項１乃至請求項３のいずれかに記載のバルコニーの格子ユニットの取付け構造。
【発明の詳細な説明】
【技術分野】
【０００１】
本発明は、バルコニーに格子ユニットを取付けるための技術に関するものである。
【背景技術】
【０００２】
従来からバルコニーには袖壁が形成してあるが、バルコニーの外観を向上させるために袖壁の一部を格子にすることが知られている。（例えば、特許文献１参照）
上記の特許文献１に示される従来例は、バルコニー梁１の上に現場で袖壁２を立設形成するに当たって、図１６に示すように、バルコニー梁１の上面の長手方向の一部に袖壁２を立設しない部分を設け、このバルコニー梁１の袖壁２を立設しない部分の上面に現場で捨て水切りとなる下笠木５０を被せてバルコニー梁１の袖壁２を立設しない部分の上面における水仕舞いを行う工事をし、その後、袖壁２間に格子５１を嵌め込み、袖壁２の側端部と格子５１の側端部との間にシール材を充填する工事を行っていた。
【０００３】
また、バルコニー梁１の袖壁２を立設しない部分の上面に支柱が立設してあるような場合には、下笠木５０に孔を設けると共に孔の周囲から筒状部を突設し、上記下笠木５０を現場でバルコニー梁１の上面部を覆う施工を行う際に下笠木５０に設けた筒状部に支柱を通すと共に現場で筒状部と支柱の外面との間にシール材を充填するという防水工事を行っていた。
【０００４】
このように、従来例にあっては、格子５１を取付ける施工をする前にバルコニー梁１の袖壁２を立設しない部分の上面に下笠木５０を被せてバルコニー梁１側に水が浸入しないように現場における種々の防水工事を行う必要があり、現場における作業が煩雑で、施工に時間がかかるという問題があった。
【特許文献１】特開２００３−３５６４号公報
【発明の開示】
【発明が解決しようとする課題】
【０００５】
本発明は上記の従来の問題点に鑑みて発明したものであって、バルコニー梁の一部に格子ユニットを取付けるに当たって、簡単な構成で現場工事を簡略化し且つバルコニー梁側に水が浸入しないようにできるバルコニーの格子ユニット取付け構造を提供することを課題とするものである。
【課題を解決するための手段】
【０００６】
上記課題を解決するために本発明に係るバルコニーの格子ユニット取付け構造は、格子体４の下枠５の下面に捨て水切り６を取付けて格子ユニット３を構成し、該捨て水切り６付きの格子ユニット３をバルコニー梁１に立設して固定手段で固定すると共に格子ユニット３の捨て水切り６をバルコニー梁１の上端面に被せて成ることを特徴とするものである。
【０００７】
このように捨て水切り６付きの格子ユニット３をバルコニー梁１に立設して固定手段で固定した状態で、格子ユニット３にあらかじめ取付けた捨て水切り６をバルコニー梁１の上端面に被せるので、従来のように現場でバルコニー梁１の上端面を捨て水切り６となる下笠木を被せてバルコニー梁１の上面における水仕舞いを行う工事を必要とすることなく、単にバルコニー梁１上に捨て水切り６付きの格子ユニット３を配置して立設させるという格子ユニット３の取付け工事を行うのみでバルコニー梁１の上端面の水仕舞いを同時に行え、簡単な構成で現場施工を簡略化できるものである。
【０００８】
また、バルコニー梁１上に袖壁２と格子ユニット３とを隣接して立設し、格子ユニット３の袖壁２の側端面に隣接する側の側端部において、捨て水切り６の側端部に上方に向けて立ち上がり片７を突設し、該捨て水切り６を格子体４の下枠５の下面に取付けて格子ユニット３を構成した状態で立ち上がり片７の上部を下枠５よりも上方に突出させ、立ち上がり片７の袖壁２側の外面に水密材９を設け、立ち上がり片７に設けた水密材９を袖壁２の側端面に圧接し、水密材９の外側において立ち上がり片７と袖壁２との間にシール材１０を充填することが好ましい。
【０００９】
このような構成とすることで、上記のようにバルコニーの袖壁２間に格子ユニット３を配置してバルコニー梁１に格子ユニット３を立設するだけでバルコニー梁１の上面の水仕舞いを同時に行うものにおいて、簡単な構成で格子ユニット３の側端部と袖壁２の側端面との間から水が浸入しても格子ユニット３の下面にあらかじめ備えてある捨て水切り６に流れ、バルコニー梁１の上面に水が浸入するのが防止できるものである。
【００１０】
また、隣接する格子ユニット３の一方側に捨て水切り６の一側端部を格子体４の一側端よりも側方に突出させて重複部８を形成し、該重複部８に隣の格子ユニット３の捨て水切り６の他側端部を水密材９を介して重複し、隣接する格子ユニット３の下枠５間の隙間にシール材１０を充填することが好ましい。
【００１１】
このような構成とすることで、バルコニーの袖壁２間において複数の格子ユニット３を配置してバルコニー梁１上に立設して取付けるに当たり、格子ユニット３の一方側に突出した捨て水切り６の一側端部の重複部８に隣の格子ユニット３の捨て水切り６の他側端部を水密材９を介して重複し、隣接する格子ユニット３の下枠５間の隙間にシール材１０を充填するので、隣接する格子ユニット３間の防水が２重になされ、隣接する格子ユニット３間からバルコニー梁１の上面側に水が浸入することがないものであり、特に、隣接する格子ユニット３を上記のように重複部８に隣の格子ユニット３の捨て水切り６の他側端部を重ねるのみで良いので、両格子ユニット３の施工前にあらかじめバルコニー梁１の上面の水仕舞いをおこなうための別途特別な工事を必要としないものであり、簡単な構成で現場施工を簡略化できるものである。
【００１２】
また、バルコニー梁１から支柱１１を立設し、捨て水切り６に支柱１１を通す孔１２を設けると共に該孔１２の周囲から上方に筒状立ち上がり部１３を突設し、格子体４の下枠５に支柱１１を通す挿通孔１４を設け、該挿通孔１４の孔縁に筒状をした防水柱１５の下端部を固着具１６により取付けると共に挿通孔１４の孔縁の外周位置に筒状をした化粧柱１７の下端部を固着具１６により取付け、捨て水切り６を格子体４の下枠５の下面に取付けて格子ユニット３を構成した状態で筒状の防水柱１５の下端部内に筒状立ち上がり部１３を嵌め込み、格子ユニット３の上記筒状立ち上がり部１３、筒状の防水柱１５に支柱１１を挿通することが好ましい。
【００１３】
このような構成とすることで、バルコニー梁１の上面の格子ユニット３の立設部分に支柱１１が立設してある場合において、格子体４に設けた化粧柱１７により外観を良くすることができるだけでなく、化粧柱１７の下端と格子体４の下枠５との間から水が浸入しても防水柱１５と筒状立ち上がり部１３とにより支柱１１側に水が浸入するのを防止して格子ユニット３の下面にあらかじめ備えてある捨て水切り６に流れ、バルコニー梁１の上面に水が浸入するのが防止できるものであり、更に、格子ユニット３の上記筒状立ち上がり部１３、筒状の防水柱１５に支柱１１を挿通するだけで、格子ユニット３の施工及び支柱１１部分の防水仕舞いが同時にできて現場工事が簡略化できるものである。
【発明の効果】
【００１４】
本発明は、捨て水切り付きの格子ユニットをバルコニー梁上に配置して立設させるという格子ユニットの取付け工事を行うのみでバルコニー梁の上端面の水仕舞いを同時に行うことができ、従来のように現場でバルコニー梁の上端面を捨て水切りとなる下笠木を被せてバルコニー梁の上面における水仕舞いを行う工事を必要とすることなく、簡単な構成で現場工事を簡略化し且つバルコニー梁側に水が浸入しないようにできるものである。
【発明を実施するための最良の形態】
【００１５】
以下、本発明を添付図面に示す実施形態に基いて説明する。
【００１６】
バルコニーは建物本体から屋外側に突設して形成されるものと、建物本体の上部に形成される屋根上バルコニー（下部は居室となる）と称されるものとがあるが、本発明においてはいずれであってもよく、これらのバルコニーは大略以下の構成となっている。すなわち、側梁、側梁間に架設された前梁、継ぎ材等を枠組みしてバルコニーの床用骨組み構造物を構成し、このバルコニーの床用骨組み構造物の外周の梁である上記側梁と前梁（この側梁、前梁がバルコニー梁１を構成している）上に袖壁を形成すると共にバルコニーの床用骨組み構造物上にバルコニー床を形成することでバルコニーが構成してある。
【００１７】
ここで、本発明においては、上記側梁、前梁よりなるバルコニー梁１上には後述する格子ユニット３を配設して立設するようになっているが、この場合、バルコニー梁１の上面の全長（すなわち上記バルコニー梁１を構成する側梁と前梁の上面の全長、コーナ部も含む）に平面視直線状又は平面視Ｌ字状をした格子ユニット３を配置して立設したり、あるいは、バルコニー梁１を構成する側梁や前梁の上面の一部に袖壁２を立設すると共に他の部分を袖壁２を立設しない部分とし、このバルコニー梁１の上面の袖壁２を立設しない部分に平面視直線状又は平面視Ｌ字状をした格子ユニット３を配置して立設する。
【００１８】
格子ユニット３は格子体４の下枠５の下面に捨て水切り６を取付け、更に捨て水切り６の下面に固定金具３３を取付けて構成してある。格子体４は例えば上枠１８、左右の縦枠１９、下枠５を矩形状に枠組した枠体に格子２０を装着して構成したものであり、該枠体には必要に応じて中枠を設けてもよい。
【００１９】
下枠５は図２に示すように、屋外側の端縁部の全長にわたり屋外側垂下片２１が垂設してあり、この屋外側垂下片２１の上下方向の途中には水切り垂片２２が設けてあり、下枠５の屋内側の端縁部の全長にわたり上記屋外側垂下片２１よりも短い屋内側垂下片２３が設けてある。また、下枠５の下面部には断面Ｌ字状をした捨て水切り固定部２４が設けてあり、該捨て水切り固定部２４は下枠５の長手方向に部分的に複数設けてあって、固定部２４間が排水用開口２４ａとなっている。この下枠５の長手方向の両端部には逆Ｌ状をした端部キャップ２９が固着してある。
【００２０】
捨て水切り６は図２に示すように、横片２５の屋外側の端縁部の全長にわたって縦片２６を垂設した断面略逆Ｌ字状をしており、縦片２６の下端部よりやや上方にずれた位置から屋外側に向けて前方突出片２７を突設し、横片２５の屋外側端部の部位が固定部２８ａとなっており、また、横片２５の屋内側端部よりやや屋外側にずれた部位が固定部２８ｂとなっている。
【００２１】
下枠５の下面側にはあらかじめ工場で上記捨て水切り６が取付けられるのであるが、袖壁２間に１個の格子ユニット３を配設するものの場合には、捨て水切り６として下枠５と同じ長さのものを用いる。また、袖壁２間に複数個（Ｎ個）の格子ユニット３を並べて配置するものの場合には、Ｎ個の捨て水切り６のうち、１個の捨て水切り６は下枠５と同じ長さのものを用い、Ｎ−１個の捨て水切り６としては下枠５よりも後述の重複部８の分だけ長いものを用いる。
【００２２】
固定金具３３は上方が開口した箱状をしており、底面片３４の屋内側の辺から上方に屋内側縦片３５ａを一体に立設し、底面片３４の屋外側の辺から屋外側縦片３５ｂが上方に突出し、更に底面片３４の屋内外方向と直交する２辺から左右縦片３５ｃを突出してあり、左右縦片３５ｃと屋内側縦片３５ａ、屋外側縦片３５ｂとが一体に固着してある。ここで屋内側縦片３５ａと屋外側縦片３５ｂとの上端部には固定片３５ｄ、３５ｅが設けてある。
【００２３】
そして、捨て水切り６を下枠５の下面に取付けるに当たっては、捨て水切り６の横片２５の固定部２８ａ、固定部２８ｂを下枠５の下面に設けた捨て水切り固定部２４に当接し、更に、固定部２８ａ、固定部２８ｂに固定金具３３の固定片３５ｄ、固定片３５ｅを当接し、固定金具３３の底面片３４に形成した挿入孔３４ａからビスのような固着具１６を挿入して固定片３５ｄと固定部２８ａ、固定片３５ｅと固定部２８ｂをそれぞれ屋内側、屋外側の水切り固定部２４に固定してある。この場合、捨て水切り６の長手方向の一端部又は両端部は下枠５の長手方向の一端部又は両端部と同じ位置となっている。
【００２４】
ここで、捨て水切り６の上面の長手方向の端部には堰止め突条３０が２列設けてある。なお、後述の重複部８側の端部に取付けた端部キャップ２９は内縁部がこの２列の堰き止め突条３０間に嵌め込んである。
【００２５】
捨て水切り６を下枠５の下面に取付けた状態で、図２に示すように下枠５の屋外側垂下片２１の下端部と捨て水切り６の横向きとなった前方突出片２７の突出先端との間には隙間３１ａが形成され、また、下枠５の屋内側垂下片２３の下端部と捨て水切り６の横片２５の屋内側端部との間には隙間３１ｂが形成される。
【００２６】
また、袖壁２の側端面に隣接する格子ユニット３においては図６乃至図９に示すように捨て水切り６の長手方向の両端部のうち袖壁２側の側端部に立ち上がり片７が上方に向けて一体に突設してある。立ち上がり片７は逆Ｌ字状をしていて捨て水切り６の上面のうち横片２５の屋内側端部付近から縦片２６を経て前方突出片２７の先端部付近まで至る巾で上方に突出しており、捨て水切り６を格子体４の下枠５の下面部に取付けた状態で、立ち上がり片７の下部内面が下枠５の端部に設けた端部キャップ２９の外面に当接すると共に立ち上がり片７の上部が下枠５よりも上方に突出しており、更に、この立ち上がり片７の下枠５よりも上方に突出した上部は格子体４の縦枠１９の外面に当接している。逆Ｌ字状をした立ち上がり片７の外面には逆Ｌ字状をした水密材９が予め固着してある。また、上記縦枠１９の外面の上下方向に水密材９を屋内外方向に２列固着してあり、この縦枠１９の外面に固着した水密材９の下端部は上記立ち上がり片７の外面に設けた逆Ｌ字状をした水密材９の上端面に密接しており、更に、上記縦枠１９の外面に固着した水密材９、立ち上がり片７の外面に固着した水密材９の屋内側端部及び屋外側端部はいずれも縦枠１９の屋内側端部、立ち上がり片７の屋内側端部、及び縦枠１９の屋外側端部、立ち上がり片７の屋外側端部よりも内側に引き込んだ位置となっている。
【００２７】
また、袖壁２間に複数個（Ｎ個）の格子ユニット３を並べて配置するものの場合、Ｎ個の捨て水切り６のうち、下枠５よりも長いＮ−１個の捨て水切り６は長手方向の一端部を外側方に連出して図１３に示すように重複部８を形成おり、重複部８は捨て水切り６の他の部分と同じ断面形状となっており、この重複部８には上面に水密材９が長手方向と直交する方向に複数列設けてあり、更に、重複部８の突出基部の上面に堰止め突条３０が２列設けてある。この重複部８を設けた捨て水切り６の長手方向の他端部は上記隣接する重複部８の上面及び前面に重なるための被重複部３２となっている。
【００２８】
上記のような構成の格子ユニット３はあらかじめ工場で組み立て形成されるものであり、このようにあらかじめ工場で組み立て形成された格子ユニット３を現場に搬送し、現場において、バルコニー梁１の袖壁２を立設しない部分に袖壁２に代えて格子ユニット３を配設して取付けられる。
【００２９】
すなわち、バルコニー梁１の上面の袖壁２を立設しない部分に上記の構成の捨て水切り６付きの格子ユニット３を配置して、図１、図２に示すように格子ユニット３の下面部の捨て水切り６の下面部に取付けた固定金具３３の底面片３４をバルコニー梁１の上フランジ１ａ上に載置すると共にボルト、ナットのような固定手段３７により固定することで、バルコニー梁１の上面部に捨て水切り６付きの格子ユニット３を立設するものである。
【００３０】
この図１、図２に示すようにバルコニー梁１の上面部に格子ユニット３を立設して固定手段３７で固定した状態で、格子ユニット３に設けてある捨て水切り６がバルコニー梁１の上端面に被せられる状態（つまり、捨て水切り６がバルコニー梁１の上方に位置し、且つ、捨て水切り６の屋外側端部である前方突出片２７がバルコニー梁１よりも屋外側に突出すると共に、捨て水切り６の屋内側端部である横片２５の屋内側端部がバルコニー梁１よりも屋内側に突出してバルコニー梁１の上端面を覆う状態）となる。
【００３１】
このようにして、バルコニー梁１の上面部に格子ユニット３を立設することで、同時にバルコニー梁１の上面部の水仕舞いをするための捨て水切り６の施工を行うことができるものである。
【００３２】
バルコニーには図１、図２に示すように、バルコニー梁１を挟んで屋内側に面板３８を配設すると共に屋外側に幕板４０を配設される。これら面板３８、幕板４０は現場作業により取付けられるものである。面板３８は上部の屋外側面を固定金具３３の屋内側縦片３５ｂに当接し、面板３８の上端面と上記バルコニー梁１よりも屋内側に突出した横片２５の屋内側端部との間に隙間を形成しており、面板３８の屋内側面に沿って防水シート３９を沿わせて取付けてあり、上記面板３８の上端面と横片２５の屋内側端部との間の隙間にシール材１０が充填してある。また、幕板４０の上端部の屋内側面は捨て水切り６の屋外側の下端部の外面に当接しており、幕板４０の上端面とバルコニー梁１よりも屋外側に突出した前方突出片２７との間に隙間を形成しており、この隙間にシール材１０が充填してある。
【００３３】
なお、図１、図２に示すように、バルコニー梁１よりも屋内側に突出した横片２５の屋内側端部の最先端は面板３８よりも更に屋内側に突出し、また、バルコニー梁１よりも屋外側に突出した前方突出片２７の最先端は幕板４０よりも更に屋内側に突出し、捨て水切り６上に浸入した水が横片２５の屋内側端部の最先端や前方突出片２７の最先端から水が流下する際に面板３８や幕板４０に流れないようにしてある。
【００３４】
格子体４の上枠１８は図１、図３、図４、図５に示すように断面略Ｕ字状をしていてこの上枠１８内に横架材４３を配置し、該横架材４３はバルコニー梁１の上面に立設される支柱１１の上端部に固着する。バルコニー梁１の上面に立設される支柱１１は袖壁２や格子ユニット３を上下に貫通している。そして、このバルコニーの手摺り取付け用の横架材４３に固着具１６により上枠１８を固着する。上枠１８、横架材４３には手摺り固定金具４４を固着具１６により取付け、手摺り固定金具４４に手摺り４５を取付けた手摺り笠木４６を取付ける。
【００３５】
上記のようにして捨て水切り６付きの格子ユニット３をバルコニー梁１の上面に取付けるのであるが、該捨て水切り６付きの格子ユニット３と袖壁２との間の水仕舞いが次のようにして行われる。
【００３６】
すなわち、図２のようにバルコニー梁１の上に上記のように捨て水切り６付きの格子ユニット３を立設してバルコニー梁１の上面を捨て水切り６で覆うのであるが、この捨て水切り６付きの格子ユニット３をバルコニー梁１の上に立設した際に、同時に図６、図７に示すように縦枠１９の外面及び捨て水切り６の袖壁２側の側端部に立設した立ち上がり片７の外面に設けた水密材９が袖壁２の側端面に弾性的に圧接させるものである。そして、捨て水切り６付きの格子ユニット３をバルコニー梁１に立設した後、現場作業で縦枠１９の屋内側端部及び立ち上がり片７の屋内側端部と袖壁２の側端面の屋内側端部との間の隙間（この隙間の奥に上記縦枠１９の外面及び立ち上がり片７の外面に固着し且つ袖壁２の側端面に圧接した水密材９が存在している）にシール材１０を充填する。同様に、現場作業で縦枠１９の屋外側端部及び立ち上がり片７の屋外側端部と袖壁２の側端面の屋外側端部との間の隙間（この隙間の奥に上記縦枠１９の外面及び立ち上がり片７の外面に固着し且つ袖壁２の側端面に圧接した水密材９が存在している）にシール材１０を充填する。したがって、格子ユニット３と袖壁２との間においてはシール材１０により１次止水がなされ、水密材９により2次止水がなされる。また、下枠５の上面や縦枠１９の外面に沿って流れる雨水が下枠５の上面の側端に流れても立ち上がり片７の上部が下枠５の上面よりも上方に突出しているのでこの立ち上がり片７の上部により止水される。そして、立ち上がり片７の上部により止水された水は下枠５の上面を屋外側端部又は屋内側端部側に流れて排水される。この場合、一部の水が下枠５の端部キャップ２９と立ち上がり片７との間から浸入しても、該浸入した水は立ち上がり片７の下部に沿って流下して捨て水切り６の上面に流れ、捨て水切り６上において固定部２４間の排水用開口２４ａを通って捨て水切り６の横片２５の屋内側端部の最先端と下枠５ａの隙間３１ｂや前方突出片２７の最先端との隙間３１ａから下方に流れて排水されるものである。
【００３７】
このような捨て水切り６付きの格子ユニット３と袖壁２との間の水仕舞いに当たっては、上記のように、あらかじめ捨て水切り６を設けた格子ユニット３をバルコニー梁１の上面に立設する作業を行うのみで、他にはシール材１０を充填する現場工事を行うだけで簡単且つ確実に水仕舞いをおこなうことができるものである。
【００３８】
ところで、袖壁２間に捨て水切り６付きの格子ユニット３を複数取付ける場合、隣接する格子ユニット３間の水仕舞いは以下のようにして行われるものである。
【００３９】
すなわち、図１０、図１３（図１０、図１３においては格子体を図面上省略している）に示すように、まず重複部８を有する方の格子ユニット３を上記のようにしてバルコニー梁１の上に立設し、次に、該格子ユニット３に隣接して他の格子ユニット３をバルコニー梁１上に立設するのであるが、この場合、図１１（図１１においては格子体を図面上省略している）に示すように先に立設した格子ユニット３の下端面部に設けた捨て水切り３の長手方向の端部を連出して形成した重複部８上に隣接する格子ユニット３の下端面部に設けた捨て水切り３の長手方向の他端部に設けた被重複部３２を重複するものであり、重複部８に被重複部３２を重複した状態で重複部８に設けた水密材９に被重複部３２の下面が密接して重複部分から水が浸入しないようになっている。したがって、袖壁２間に捨て水切り６付きの格子ユニット３を複数取付ける場合も、現場においては捨て水切り６付きの格子ユニット３をバルコニー梁１上に立設する作業を行うのみで、格子ユニット３の立設と同時に捨て水切り３でバルコニー梁１の上面を覆い且つ隣接する格子ユニット３間の水仕舞いをおこなうことができるものである。
【００４０】
なお、隣接する格子ユニット３の縦枠１９の屋内側の端部間及び屋外側の端部間には図１２のように縦枠カバー４２が取付けられる。
【００４１】
このような構成によれば、隣接する格子ユニット３間に侵入した水は重複部８の上面に流れ、堰止め突条３０、水密材９によりそれ以上の浸入が防止され、重複部８の横片２５の屋内側端部の最先端と下枠５ａの隙間３１ｂや前方突出片２７の最先端と下枠５ａの隙間３１ａから下方に流れて排水されるものである。ここで、万一、堰止め突条３０、水密材９を越えて水が浸入したとしても、隣接する各格子ユニット３の捨て水切り６の上面を流れ、堰止め突条３０、水密材９の奥において重複部８の横片２５の屋内側端部の最先端と下枠５ａの隙間３１ｂや前方突出片２７の最先端と下枠５ａの隙間３１ａから下方に流れて排水されるものである。
【００４２】
また、バルコニー梁１の上面の格子ユニット３の立設部分に支柱１１が立設してある場合があるが、このような場合には、前述の構成の捨て水切り６付きの格子ユニット３にさらに図１４、図１５に示すような構成を備えたものを使用する。
【００４３】
すなわち、図１４、図１５に示すように、捨て水切り６に支柱１１を通す孔１２を設け、この孔１２の周囲から上方に筒状立ち上がり部１３を突設する。格子体４の下枠５の上記孔１２に上下方向に対向する位置に支柱１１を通す挿通孔１４を設ける。挿通孔１４には筒状をした防水柱１５の下端部を挿通してあり、該防水柱１５の下端部が挿通孔１４の孔縁部に固着具１６により取付けてあり、更に、防水柱１５の外周に隙間を介して筒状をした化粧柱１７を被嵌すると共に化粧柱１７の下端部を挿通孔１４の孔縁の外周位置の下枠５上面に載置して固着具１６により下枠５に取付けてある。ここで、図１５の実施形態においては、断面逆Ｌ状をした連結金具４０を下枠５の挿通孔１４の孔縁の外周の下面に当ててビスのような固着具１６により連結金具４０、下枠５を貫通して化粧柱１７の内面部に設けたタッピングホールを有する縦リブ４１に螺着し、また、該連結金具４０から別の固着具１６を挿入して防水柱１５の挿通孔１４より下方に突出した部分に固着することで下枠５に防水柱１５、化粧柱１７の下端部を取付けてある。また、図示を省略しているが、格子体４の上枠１８には孔が設けてあって、この孔の縁部分に防水柱１５、化粧柱１７の上端部が固着してある。
【００４４】
上記のように防水柱１５、化粧柱１７を取付けた格子体４の下枠５下面部に捨て水切り６を前述と同様にして取付けて格子ユニット３を構成するのであるが、このように下枠５下面部に捨て水切り６を取付けて格子ユニット３を構成した状態で筒状の防水柱１５の下端部内に筒状立ち上がり部１３が嵌め込まれることになる。
【００４５】
そして、捨て水切り６付きの格子ユニット３を前述のようにバルコニー梁１の上面部に前述のようにして立設する際、格子ユニット３の上記筒状立ち上がり部１３、筒状の防水柱１５を支柱１１を被せるように挿通するものである。
【００４６】
なお、支柱１１の上枠１８に設けた孔には支柱１１の上端部を挿通するものであり、該支柱１１の上端部にはバルコニーの手摺り取付け用の横架材４３が固着される。
【００４７】
しかして、バルコニー梁１の上面の格子ユニット３の立設部分に支柱１１が立設してある場合において、格子体４に設けた化粧柱１７により外観を良くすることができるものであり、しかも、化粧柱１７の下端と格子体４の下枠５との間から水が浸入しても防水柱１５と筒状立ち上がり部１３とにより支柱１１側に水が浸入するのを防止し、水は格子ユニット３の下面にあらかじめ備えてある捨て水切り６に流れ、横片２５の屋内側端部の最先端と下枠５ａの隙間３１ｂや前方突出片２７の最先端と下枠５ａの隙間３１ａから下方に流れて排水されるものである。そして、これらの支柱１１部分における水仕舞いは、上記のように格子ユニット３の筒状立ち上がり部１３、筒状の防水柱１５に支柱１１を挿通するように施工するのみで、格子ユニット３の施工及び支柱１１部分の防水仕舞いが同時にできて現場工事が簡略化できるものである。
【図面の簡単な説明】
【００４８】
【図１】本発明の捨て水切り付きの格子ユニットをバルコニー梁の上面に立設して取り付けた状態の断面図である。
【図２】同上の図１のＡ部分の拡大断面図である。
【図３】同上の図１のＢ部分の拡大断面図である。
【図４】同上に用いる捨て水切り付きの格子ユニットを示し、（ａ）は正面図であり、（ｂ）は平面図であり、（ｃ）は下面図であり、（ｄ）は側面図である。
【図５】同上に用いる捨て水切りの格子ユニットを示し、（ａ）は横断面図であり、（ｂ）は縦断面図である。
【図６】同上の捨て水切り付きの格子ユニットと袖壁との間の雨仕舞いを示す斜視図である。
【図７】同上の断面図である。
【図８】同上の格子体を図面上省略した状態の斜視図である。
【図９】同上の捨て水切り付きの格子ユニットの袖壁側の端面部を示す斜視図である。
【図１０】同上の隣接する捨て水切り付きの格子ユニット間の水仕舞いを示す一部分解斜視図である。
【図１１】（ａ）は同上の格子体を図面上省略した状態の平面図であり、（ｂ）は正面図である。
【図１２】同上の隣接する捨て水切り付きの格子ユニットの間の上部を示す斜視図である。
【図１３】同上の格子体を図面上省略した状態の斜視図である。
【図１４】同上のバルコニー梁の上面から支柱を立設した部分の水仕舞いを示す斜視図である。
【図１５】同上の断面図である。
【図１６】従来例を示す分解斜視図である。
【符号の説明】
【００４９】
１  バルコニー梁
２  袖壁
３  格子ユニット
４  格子体
５  下枠
６  捨て水切り
７  重複部
８  水密材
９  シール材
１０  立ち上がり片
１１  支柱
１２  孔
１３  筒状立ち上がり部
１４  挿通孔
１５  防水柱
１６  固着具
１７  化粧柱
【図１】
2005163414.tif 000003
【図２】
2005163414.tif 000004
【図３】
2005163414.tif 000005
【図４】
2005163414.tif 000006
【図５】
2005163414.tif 000007
【図６】
2005163414.tif 000008
【図７】
2005163414.tif 000009
【図８】
2005163414.tif 000010
【図９】
2005163414.tif 000011
【図１０】
2005163414.tif 000012
【図１１】
2005163414.tif 000013
【図１２】
2005163414.tif 000014
【図１３】
2005163414.tif 000015
【図１４】
2005163414.tif 000016
【図１５】
2005163414.tif 000017
【図１６】
2005163414.tif 000018